(57)【特許請求の範囲】
【請求項１】
タッチ操作が可能とされた操作面を有し、当該操作面が実際にタッチされた位置を示すタッチ情報を生成するタッチトレーサと、当該タッチトレーサから入力される前記タッチ情報に基づきディスプレイに表示する複数の操作機能項目の選択及びその選択を確定する制御手段とを備える入力装置において、
前記制御手段は、前記タッチ情報に基づき前記ディスプレイ上のタッチ位置である実タッチ位置を求めるとともに、当該実タッチ位置よりも当該実タッチ位置が含まれる前記操作機能項目の表示範囲の中心側に補正タッチ位置を設定し、前記操作面がなぞり操作されて前記実タッチ位置が移動した場合には当該実タッチ位置が移動した分だけ補正タッチ位置を移動させ、当該補正タッチ位置に基づき前記ディスプレイに表示する前記操作機能項目の選択及びその選択を決定する入力装置。
【請求項２】
請求項１に記載の入力装置において、
前記制御手段は、前記実タッチ位置が前記操作機能項目の表示範囲の中心側に移動した場合には前記補正タッチ位置を維持し、前記実タッチ位置が前記操作機能項目の表示範囲の中心とは反対側に移動した場合には前記実タッチ位置が移動した分だけ前記補正タッチ位置を移動させる入力装置。
【請求項３】
請求項１又は２に記載の入力装置において、
前記制御手段は、前記補正タッチ位置が他の操作機能項目の表示範囲に移動した場合には、前記実タッチ位置よりもその操作機能項目の表示範囲の中心側に前記補正タッチ位置を設定する入力装置。
【請求項４】
請求項１〜３のうちいずれか一項に記載の入力装置において、
前記タッチトレーサをタッチ操作する際に、当該操作する手を支持するパームレストを備える入力装置。
【発明の詳細な説明】
【技術分野】
【０００１】
本発明は、タッチ操作により情報の入力を行う入力装置に関するものである。
【背景技術】
【０００２】
従来、車両において、エアコン、カーナビ、ラジオ、オーディオといった多機能の操作を１つのデバイスに集約させたものがある。このようなデバイスに情報を入力する入力装置としては、特許文献１に開示されるものが知られている。図１に示すように、特許文献１の入力装置１００は、複数の操作機能項目が表示されるディスプレイ１０１と、ユーザが指先等でタッチ操作することによってディスプレイ１０１に表示される複数の操作機能項目を選択するタッチトレーサ１０２とを備えている。また、入力装置１００は、タッチトレーサ１０２を操作する際に手を置くことができるパームレスト１０３を備えている。
【０００３】
入力装置１００は、インストルメントパネルの中央部において、手前側からパームレスト１０３、タッチトレーサ１０２、ディスプレイ１０１の順となるように設けられている。パームレスト１０３とタッチトレーサ１０２との間の距離は、ユーザが前腕や手のひら等をパームレスト１０３に置いた状態の手の指でタッチトレーサ１０２を操作することができる距離とされている。
【先行技術文献】
【特許文献】
【０００４】
【特許文献１】特開２００４−２２７８８５号公報
【発明の概要】
【発明が解決しようとする課題】
【０００５】
ところで、例えば、パームレスト１０３に支持された部位が前腕である場合、ユーザは手首を支点としてタッチトレーサ１０２を操作することになる。このため、ユーザが指を横方向に移動させたつもりでも、図６に一点鎖線で示すように、実際の指の移動軌跡は、手首を支点とした円弧となる。すなわち、指の移動軌跡は、ユーザの意志とは異なり縦方向にも変位する。このため、ユーザが入力したい操作機能項目と異なる操作機能項目が選択されるおそれがある。
【０００６】
本発明は、こうした実状に鑑みてなされたものであり、その目的は、意図する情報の入力が容易な入力装置を提供することにある。
【課題を解決するための手段】
【０００７】
上記課題を解決するために、請求項１の発明は、タッチ操作が可能とされた操作面を有し、当該操作面が実際にタッチされた位置を示すタッチ情報を生成するタッチトレーサと、当該タッチトレーサから入力される前記タッチ情報基づきディスプレイに表示する複数の操作機能項目の選択及びその選択を確定する制御手段とを備える入力装置において、
前記制御手段は、前記タッチ情報に基づき前記ディスプレイ上のタッチ位置である実タッチ位置を求めるとともに、当該実タッチ位置よりも当該実タッチ位置が含まれる前記操作機能項目の表示範囲の中心側に補正タッチ位置を設定し、前記操作面がなぞり操作されて前記実タッチ位置が移動した場合には当該実タッチ位置が移動した分だけ補正タッチ位置を移動させ、当該補正タッチ位置に基づき前記ディスプレイに表示する前記操作機能項目の選択及びその選択を決定することを要旨とする。
【０００８】
同構成によれば、補正タッチ位置は、実タッチ位置よりも操作機能項目の表示範囲の中心側に位置している。従って、補正タッチ位置と他の操作機能項目の表示範囲までとの距離は、実タッチ位置と他の操作機能項目の表示範囲までとの距離よりも長くなる。このため、補正タッチ位置を他の操作機能項目の表示範囲に移動させるためには、実タッチ位置を補正タッチ位置と他の操作機能項目の表示範囲までとの距離よりも長く、すなわち、従来よりも実タッチ位置を長く移動させる必要がある。このため、操作面を操作する指が、想定する軌道を外れても、当該軌道は意図する操作機能項目の表示範囲内である。従って、ユーザは、意図する操作機能項目を選択することができる。
【０００９】
請求項２に記載の発明は、請求項１に記載の入力装置において、前記制御手段は、前記実タッチ位置が前記操作機能項目の表示範囲の中心側に移動した場合には前記補正タッチ位置を維持し、前記実タッチ位置が前記操作機能項目の表示範囲の中心とは反対側に移動した場合には前記実タッチ位置が移動した分だけ前記補正タッチ位置を移動させることを要旨とする。
【００１０】
同構成によれば、実タッチ位置が操作機能項目の表示範囲内を移動する度に、実タッチ位置と補正タッチ位置との位置ずれが小さくなる。このため、ユーザは、意図する操作機能項目を選択しやすくなる。
【００１１】
請求項３に記載の発明は、請求項１又は２に記載の入力装置において、前記制御手段は、前記補正タッチ位置が他の操作機能項目の表示範囲に移動した場合には、前記実タッチ位置よりもその操作機能項目の表示範囲の中心側に前記補正タッチ位置を設定することを要旨とする。
【００１２】
同構成によれば、補正タッチ位置が他の操作機能項目の表示範囲に移動する度に、補正タッチ位置が再設定され、実タッチ位置と補正タッチ位置との位置ずれが小さくなる。このため、ユーザは、意図する操作機能項目を選択しやすくなる。
【００１３】
請求項４に記載の発明は、請求項１〜３のうちいずれか一項に記載の入力装置において、前記タッチトレーサをタッチ操作する際に、当該操作する手を支持するパームレストを備えることを要旨とする。
【００１４】
同構成によれば、例えば、ユーザが自身の前腕とパームレストに支持させる場合、ユーザは、手首を支点としてタッチトレーサを操作することができる。このため、タッチトレーサの操作において、腕にかかる負担が小さい。また、ユーザが指を横方向に移動させようとすると、その指の移動軌跡は、手首を中心とした円弧になりやすい。しかしながら、手首を支点としているので、横方向に対する上下方向のずれは小さい。すなわち、タッチトレーサの操作面を操作する指は、ユーザが想定する軌道をわずかしか外れない。このため、ユーザの意図する操作機能項目を容易に選択することができる。
【発明の効果】
【００１５】
本発明では、意図する情報の入力が容易な入力装置を提供することができる。
【図面の簡単な説明】
【００１６】
【図１】入力装置を中心とした車内の斜視図。
【図２】入力装置の概略構成を示すブロック図。
【図３】（ａ）〜（ｈ）は、実タッチ位置及び補正タッチ位置の変位を示す図。
【図４】（ａ）〜（ｄ）は、実タッチ位置及び補正タッチ位置の変位を示す図。
【図５】制御回路における処理手順を示すフローチャート。
【図６】手首を支点とした指の移動軌跡を示す図。
【発明を実施するための形態】
【００１７】
以下、本発明にかかる入力装置を具体化した一実施の形態について図１〜図６を参照して説明する。
図１に示すように、車両には、例えばエアコン、カーナビ、ラジオ、及びオーディオなどの各種機器が制御を行うために必要な情報を入力するための入力装置１０が設けられている。図２に示すように、入力装置１０は、ディスプレイ１１、タッチトレーサ１２、パームレスト１３、及び制御回路１４を備えている。ディスプレイ１１は、操作機能項目を表示する。制御回路１４は、ディスプレイ１１の表示を制御する。タッチトレーサ１２は、操作面１２ａを備え、当該操作面１２ａがタッチされた位置を示す情報を生成する。パームレスト１３は、タッチトレーサ１２を操作する際、ユーザが手を置くことができる。
【００１８】
なお、図１に示すように、ディスプレイ１１は、ダッシュボードの中央部に嵌め込まれている。タッチトレーサ１２は、ダッシュボードにおいて、ディスプレイ１１の手前側に設けられている。タッチトレーサ１２は、操作面１２ａを指でタッチできるように車室内に露出させている。パームレスト１３は、ダッシュボードにおいて、タッチトレーサ１２の手前側に設けられている。パームレスト１３とタッチトレーサ１２との間の距離は、ユーザが前腕や手のひら等をパームレスト１３に置いた状態の手の指でタッチトレーサ１２を操作することができる距離とされている。
【００１９】
制御回路１４は、前述した各種機器の図示しない制御回路と接続されている。各種機器の制御回路から各種機器における制御状態を示す情報を取得し、この取得される情報に応じてディスプレイ１１に表示する操作機能項目を切り替える。また、図２に示すように、制御回路１４は、補正部１５を備えている。補正部１５は、タッチトレーサ１２において生成される実際のタッチ情報に基づき求められるディスプレイ１１上のタッチ位置（以下、実タッチ位置）を示す情報から、どの操作機能項目が選択されているかを判断するための補正タッチ位置を設定する。制御回路１４は、補正部１５が設定した補正タッチ位置がディスプレイ１１に表示される操作機能項目の表示範囲に含まれる場合には、例えば当該操作機能項目の色を変える等して、どの操作機能項目が選択されているのかをユーザに報知する。なお、タッチトレーサ１２の下部（紙面方向の下部）には、制御回路１４と接続された図示しないプッシュスイッチが設けられている。当該プッシュスイッチは、タッチトレーサ１２が紙面方向に押し込まれると、プッシュ信号を生成する。制御回路１４は、プッシュ信号が入力されると、それまで補正タッチ位置が含まれていた操作機能項目の選択が確定されたものと認識する。そして、制御回路１４は、選択が確定した操作機能項目を示す信号を生成する。当該信号が必要な機器の制御回路は、当該信号に基づき当該機器の制御を切り替える。
【００２０】
次に、補正部１５が設定する補正タッチ位置について概要を説明する。
補正部１５は、実タッチ位置がディスプレイ１１に表示されたある操作機能項目の表示範囲に含まれる場合には、その操作機能項目の中央座標を補正タッチ位置に設定する。そして、実タッチ位置が中央座標に近づく場合には、補正タッチ位置を中央座標に維持する。一方、実タッチ位置が中央座標から離れる場合には、当該離れた方向及び距離だけ補正タッチ位置を中央座標から移動させる。
【００２１】
次に、補正部１５が設定する補正タッチ位置について具体的に座標を用いて説明する。なお、ここでは、ディスプレイ１１に表示される操作機能項目の横方向をＸ方向、縦方向をＹ方向とする。従って、実タッチ位置及び補正タッチ位置は、ＸＹ座標で表すことができる。
【００２２】
制御回路１４は、タッチトレーサ１２から実タッチ位置Ａ（ｘ０，ｙ０）が入力されると、当該実タッチ位置Ａ（ｘ０，ｙ０）がディスプレイ１１に表示される操作機能項目の表示範囲に含まれるか否かを判断する。ここでは、図３（ａ）に示すように、実タッチ位置Ａ（ｘ０，ｙ０）は、ディスプレイ１１に表示されるある操作機能項目の中央座標（ｍ０，ｎ０）の左上の位置とし、当該操作機能項目の表示範囲に含まれるものとする。この場合、補正部１５は、図３（ｂ）に示すように、実タッチ位置Ａ（ｘ０，ｙ０）が含まれる操作機能項目の中央座標（ｍ０，ｎ０）に補正タッチ位置Ａ（ｍ０，ｎ０）を設定する。
【００２３】
図３（ｃ）に示すように、実タッチ位置Ａ（ｘ０，ｙ０）が中央座標（ｍ０，ｎ０）に近い実タッチ位置Ｂ（ｘ１，ｙ１）に移動した場合には、補正タッチ位置Ｂは、図３（ｄ）に示すように、補正タッチ位置Ａ（ｍ０，ｎ０）に維持される。すなわち、補正タッチ位置Ｂ（ｍ０，ｎ０）となる。
【００２４】
図３（ｅ）に示すように、実タッチ位置Ａ（ｘ０，ｙ０）が中央座標（ｍ０，ｎ０）から離れた実タッチ位置Ｃ（ｘ２，ｙ２）に移動した場合には、補正タッチ位置Ｃは、図３（ｆ）に示すように、当該実タッチ位置が移動した分だけ補正タッチ位置Ａ（ｍ０，ｎ０）から移動する。すなわち、補正タッチ位置Ｃ（ｍ０＋（ｘ２−ｘ０），ｎ０＋（ｙ２−ｙ０））となる。
【００２５】
ここで、例えば、図３（ｇ）に示すように、ある操作機能項目の表示範囲内において、実タッチ位置Ａ（ｘ０，ｙ０）が中央座標（ｍ０，ｎ０）の右上の位置である実タッチ位置Ｄ（ｘ３，ｙ３）に直線的に移動した場合について説明する。なお、実タッチ位置ＤのＹ座標ｙ３は、実タッチ位置ＡのＹ座標ｙ０よりも中央座標のＹ座標ｎ０に近いものとする。また、実タッチ位置Ａ（ｘ０，ｙ０）が実タッチ位置Ｄ（ｘ３，ｙ３）に移動する際に、実タッチ位置Ｅ（ｍ０，ｙ４）を通るものとする。この実タッチ位置Ｅ（ｍ０，ｙ４）は、図３（ｇ）に示すように、実タッチ位置が中央座標（ｍ０，ｎ０）の左上から右上に変わる位置である。
【００２６】
図３（ｇ）に示すように、実タッチ位置Ｅ（ｍ０，ｙ４）は、実タッチ位置Ａ（ｘ０，ｙ０）よりも中央座標（ｍ０，ｎ０）に近い。従って、実タッチ位置Ａ（ｘ０，ｙ０）が実タッチ位置Ｅ（ｍ０，ｙ４）に移動した際、補正タッチ位置Ｅは、補正タッチ位置Ａ（ｍ０，ｎ０）に維持される。すなわち、補正タッチ位置Ｅ（ｍ０，ｎ０）である。また、実タッチ位置Ｅ（ｍ０，ｙ４）のＸ座標は、実タッチ位置Ｄ（ｘ３，ｙ３）のＸ座標よりも中央座標（ｍ０，ｎ０）に近く、実タッチ位置Ｅ（ｍ０，ｙ４）のＹ座標は、実タッチ位置Ｄ（ｘ３，ｙ３）のＹ座標よりも中央座標（ｍ０，ｎ０）に遠い。従って、実タッチ位置Ｅ（ｍ０，ｙ４）が実タッチ位置Ｄ（ｘ３，ｙ３）に移動した場合、補正タッチ位置ＤのＹ座標は、補正タッチ位置Ｅ（Ａ）（ｍ０，ｎ０）のＹ座標に維持される。一方、補正タッチ位置ＤのＸ座標は、実タッチ位置Ｅ（ｍ０，ｙ４）と実タッチ位置Ｄ（ｘ３，ｙ３）との距離（ｘ４−ｍ０）だけ移動する。従って、図３（ｈ）に示すように、補正タッチ位置Ｄ（ｍ０＋（ｘ４−ｍ０）＝ｘ４，ｎ０）となる。
【００２７】
なお、上述したように、制御回路１４は、補正タッチ位置がディスプレイ１１に表示される操作機能項目の表示範囲に含まれる場合に、操作機能項目が選択された旨認識する。すなわち、図４（ａ）に示すように、実タッチ位置が第１の操作機能項目の表示範囲から当該第１の操作機能項目の表示範囲に隣接する第２の操作機能項目の表示範囲に移動しても、図４（ｂ）に示すように、補正タッチ位置が第１の操作機能項目の表示範囲内にあれば、制御回路１４は、第１の操作機能項目が選択されていると認識する。制御回路１４に第２の操作機能項目を選択したことを認識させるためには、図４（ｃ）に示すように、前述よりも実タッチ位置を大きく移動させて、図４（ｄ）に示すように、補正タッチ位置を第２の操作機能項目の表示範囲内に移動させる必要がある。言い換えれば、操作機能項目の選択を変える場合、ユーザは、実タッチ位置を少なくとも一定の距離、ここでは、Ｘ方向又はＹ方向における機能項目の表示範囲の距離の半分だけ移動させる必要がある。なお、図４（ｄ）に示すように、補正タッチ位置が第１の操作機能項目の表示範囲から第２の操作機能項目の表示範囲に移動した場合、補正部１５は、補正タッチ位置を第２の操作機能項目の中央座標に再設定する。この再設定により実タッチ位置と補正タッチ位置とのずれが小さくなる。
【００２８】
次に、制御回路１４が操作機能項目を選択するときの処理について、図５に示すフローチャートに従って説明する。当該フローチャートは制御回路１４の図示しない記憶領域に格納された制御プログラムに従って実行される。当該制御プログラムは、ユーザがタッチトレーサ１２をタッチして、当該タッチトレーサ１２において生成される実際のタッチ情報が入力されたことを契機に実行される。
【００２９】
制御回路１４は、タッチトレーサ１２から入力される実際のタッチ情報に基づき実タッチ位置を求めるとともに、当該実タッチ位置が含まれる操作機能項目を判定する（ステップＳ１）。そして、実タッチ位置が含まれる操作機能項目の中心座標に補正タッチ位置を設定する（ステップＳ２）。
【００３０】
次に、制御回路１４は、実タッチ位置の入力が継続されているか否かを判断する（ステップＳ３）。ステップＳ３でＹＥＳ、すなわち、実タッチ位置の入力が継続されているには、実タッチ位置が当該実タッチ位置の含まれる操作機能項目の中心側に移動したか否かを判断する（ステップＳ４）。ステップＳ４でＹＥＳ、すなわち、実タッチ位置が当該実タッチ位置の含まれる操作機能項目の中心側に移動した場合には、ステップＳ２で設定した補正タッチ位置を維持する（ステップＳ５）。そして、当該処理をステップＳ３に移行する。
【００３１】
ステップＳ４でＮＯ、すなわち、実タッチ位置が当該実タッチ位置の含まれる操作機能項目の中心側に移動していない場合には、実タッチ位置が当該実タッチ位置の含まれる操作機能項目の中心から離れる方向に移動したか否かを判断する（ステップＳ６）。ステップＳ６でＮＯ、すなわち、実タッチ位置が当該実タッチ位置の含まれる操作機能項目の中心から離れる方向に移動していない場合には、実タッチ位置が維持されているものとして、当該処理をステップＳ３に移行する。
【００３２】
ステップＳ６でＹＥＳ、すなわち、実タッチ位置が当該実タッチ位置の含まれる操作機能項目の中心から離れる方向に移動した場合には、当該移動した分だけステップＳ２で設定した補正タッチ位置を移動させる（ステップＳ７）。
【００３３】
次に、制御回路１４は、移動させた補正タッチ位置が含まれる操作機能項目を判定する（ステップＳ８）。そして、移動させた補正タッチ位置が含まれる操作機能項目に変更が有るか否かを判断する（ステップＳ９）。ステップＳ９でＮＯ、すなわち、移動させた補正タッチ位置が含まれる操作機能項目に変更がない場合には、当該処理をステップＳ３に移行する。
【００３４】
ステップＳ９でＹＥＳ、すなわち、移動させた補正タッチ位置が含まれる操作機能項目に変更が有る場合には、新たな操作機能項目の中心座標に補正タッチ位置を設定し（ステップＳ１０）、当該処理をステップＳ３に移行する。
【００３５】
なお、ステップＳ３でＮＯ、すなわち、実タッチ位置の入力が継続されていない、言い換えれば、ユーザがタッチトレーサ１２へのタッチを解除した場合には、制御回路１４は、補正タッチ位置が含まれていた操作機能項目の選択が解除されたものと認識し（ステップＳ１１）、これら一連の処理を終了する。
【００３６】
以上詳述したように、本実施形態によれば、以下に示す効果が得られる。
（１）制御回路１４に補正部１５を設けた。補正部１５は、タッチトレーサ１２から入力される実タッチ位置が含まれる操作機能項目の表示範囲の中心座標に補正タッチ位置を設定する。そして、補正部１５は、タッチトレーサ１２がなぞり操作される場合において、実タッチ位置が、操作機能項目の表示範囲の中心座標に近づいた場合には補正タッチ位置を維持し、操作機能項目の表示範囲の中心座標から離れた場合には当該実タッチ位置が移動した分だけ補正タッチ位置を移動させるようにした。実タッチ位置が操作機能項目の表示範囲内を移動する度に、実タッチ位置と補正タッチ位置との位置ずれが小さくなる。また、補正タッチ位置は、実タッチ位置よりも操作機能項目の表示範囲の中心側に位置している。従って、補正タッチ位置と他の操作機能項目の表示範囲までとの距離は、実タッチ位置と他の操作機能項目の表示範囲までとの距離よりも長くなる。このため、補正タッチ位置を他の操作機能項目の表示範囲に移動させるためには、実タッチ位置を補正タッチ位置と他の操作機能項目の表示範囲との距離よりも長く移動させる必要がある。このため、タッチトレーサ１２の操作面１２ａを操作する指が、想定する軌道を外れても、当該軌道は、意図する操作機能項目の表示範囲内である。従って、ユーザは、意図する操作機能項目を選択することができる。
【００３７】
（２）補正部１５は、補正タッチ位置が他の操作機能項目の表示範囲に移動した場合に、当該移動した操作機能項目の表示範囲の中心座標に補正タッチ位置を設定するようにした。これにより、補正タッチ位置が他の操作機能項目の表示範囲に移動する度に、実タッチ位置と補正タッチ位置との位置ずれが小さくなる。このため、ユーザは、意図する操作機能項目を選択しやすくなる。
【００３８】
（３）タッチトレーサ１２の手前側にパームレスト１３を設けた。これにより、ユーザは、例えば、自身の前腕をパームレスト１３に支持させ、手首を支点としてタッチトレーサ１２を操作することができる。このため、タッチトレーサ１２の操作において、腕にかかる負担が小さい。また、ユーザが指を横方向に移動させようとすると、その指の移動軌跡は、手首を中心とした円弧になりやすい。しかしながら、手首を支点としているので、横方向に対する上下方向のずれは小さい。すなわち、タッチトレーサ１２を操作する指は、ユーザが想定する軌道をわずかしか外れない。このため、ユーザの意図する操作機能項目を容易に選択することができる。
【００３９】
なお、上記実施形態は以下のように変更してもよい。
・上記実施形態において、パームレスト１３を省略してもよい。このように構成した場合であれ、上記実施形態の（１）及び（２）に記載の効果と同様の効果を得ることができる。
【００４０】
・上記実施形態において、補正部１５は、実タッチ位置が含まれる操作機能項目の表示範囲の中心座標に補正タッチ位置を設定したが、設定する補正タッチ位置は、実タッチ位置よりも操作機能項目の表示範囲の中心側に近ければよい。このように構成した場合であれ、タッチトレーサ１２を操作する指が想定する軌道を外れても、当該軌道は、意図する操作機能項目の表示範囲内である。従って、ユーザは、意図する操作機能項目を選択することができる。
【００４１】
・上記実施形態において、補正部１５は、補正タッチ位置が他の操作機能項目の表示範囲に移動した場合に、当該移動した他の操作機能項目の表示範囲の中心座標に補正タッチ位置を設定するようにしたが、設定する補正タッチ位置は、実タッチ位置よりも操作機能項目の表示範囲の中心側に近ければよい。このように構成した場合であれ、タッチトレーサ１２を操作する指が想定する軌道を外れても、当該軌道は、意図する操作機能項目の表示範囲内である。従って、ユーザは、意図する操作機能項目を選択することができる。なお、補正タッチ位置が他の操作機能項目の表示範囲に移動した場合、当該補正タッチ位置を必ずしも設定し直す必要はない。このように構成した場合であれ、上記実施形態の（１）の効果と同様の効果を得ることができる。
【００４２】
・上記実施形態では、補正タッチ位置が含まれる操作機能項目の表示範囲をディスプレイ１１を通じて報知するようにしたが、これ以外の方法で報知するようにしてもよい。例えば、補正タッチ位置が含まれる操作機能項目が移動した場合にはタッチトレーサ１２の操作面１２ａを振動させて、当該振動が指に伝わることによって報知するようにする。このように構成した場合であれ、上記実施形態と同様の効果を得ることができる。
【００４３】
・上記実施形態では、タッチトレーサ１２が押し込まれたときに、選択している操作機能項目の入力が行われるようにしたが、入力方法はこれに限らない。例えば、タッチトレーサ１２へのタッチの解除（リリース）、タップ、ダブルタップ、タッチトレーサ１２とは別に設けられたエンタースイッチの操作等によって入力を行うようにしてもよい。このように構成した場合であれ、上記実施形態と同様の効果を得ることができる。
【００４４】
・上記実施形態では、車両に搭載される入力装置１０について説明したが、当該入力装置１０は、他のものに適用してもよい。例えば、住宅用のドアの解錠や施錠を行うものに適用してもよい。このように構成した場合であれ、上記実施形態の効果と同様の効果を得ることができる。
【符号の説明】
【００４５】
１０…入力装置、１１…ディスプレイ、１２…タッチトレーサ、１２ａ…操作面、１３…パームレスト、１４…制御回路（制御手段）、１５…補正部。
【図１】
0005934008.tif 000002
【図２】
0005934008.tif 000003
【図３】
0005934008.tif 000004
【図４】
0005934008.tif 000005
【図５】
0005934008.tif 000006
【図６】
0005934008.tif 000007